(57)【要約】複数の共振装置（例えば、三台のＳＡＷデバイス）の周波数を決定する方法は、該デバイスのそれぞれの、最大電力スペクトル密度を有する最適問い合わせ周波数を決定することと、三つの共振周波数を推定するためにサンプリング結果に離散フーリエ変換を実行することと、共振周波数の表示を提供するためにフーリエ変換の結果を平均化することとを備える。該平均化するステップは標準偏差と、平均周波数結果からの標準偏差の所定の倍数より大きくなるあらゆる結果の拒絶の計算を含んでよい。周波数は、センサデバイスの圧力と温度を計算するために利用されてよい方法によって決定される。センサデバイスは車両のタイヤ内に位置してよい。
2005501235.tif 000002
【特許請求の範囲】
【請求項１】
複数の共振装置に問い合わせ、デバイスのそれぞれの共振周波数を決定する方法であって、
（１）共振装置ごとに、最適共振周波数を決定するステップと、
（２）各共振装置の問い合わせを、ステップ（１）で決定されたそのそれぞれの最適問い合わせ周波数で複数回繰り返すステップと、
（３）ステップ（２）の結果として蓄積されるデータに関して離散フーリエ変換を実行するステップと、
（４）ステップ（３）から引き出される周波数の平均を決定するステップと、
を含んでなる方法。
【請求項２】
ステップ（４）が、求められた平均周波数ごとに標準偏差を決定することと、該標準偏差の所定の倍数より多く平均周波数から変化するあらゆる周波数を拒絶することと、該拒絶されたデータの排除の後に平均周波数を計算し直すこととを含むことを特徴とした請求請１記載の方法。
【請求項３】
最適問い合わせ周波数が、共振装置からの信号が最大電力スペクトルを有する周波数を確立することによって求められることを特徴とする請求項１または２記載の方法。
【請求項４】
最大電力スペクトル密度が周波数ダウンコンバージョン、中間周波数での応答のサンプリングおよび離散フーリエ変換の計算によって求められることを特徴とする請求項３記載の方法。
【請求項５】
最大電力スペクトル密度が自動利得制御を備えた線形増幅器によって決定され、最適周波数がそのサイドローブの平均レベルに対するスペクトル密度のピーク値の割合を最大にするように選ばれることを特徴とする請求項３記載の方法。
【請求項６】
最大電力スペクトル密度が制限増幅器を使用することによって決定され、周波数はセンサ応答の長さを最大にするために選ばれることを特徴とする請求項３記載の方法。
【請求項７】
最適問い合わせ周波数がＩＳＭバンドのそれぞれのサブバンド内にあることを特徴とする先行する請求請のいずれかに記載の方法。
【請求項８】
請求項１のステップ２の反復中に、受信される各信号は、ダウンコンバートされ、サンプリングされ、蓄積され、最適問い合わせ周波数のコヒーレント蓄積を実現することを特徴とする先行する請求請のいずれかに記載の方法。
【請求項９】
コヒーレント蓄積が、受信機と送信機シンセサイザの両方で一つの共通した発振器、およびＤＳＰチップ内のクロックジェネレータを使用することによって達成されることを特徴とする請求項８記載の方法。
【請求項１０】
ステップ２の反復問い合わせ数および問い合わせが実施される速度が、総問い合わせ期間が問い合わせ装置を基準にしたセンサの周期的な移動などの期間と比較して小さいほどであることを特徴とする先行する請求請のいずれかに記載の方法。
【請求項１１】
各コヒーレント蓄積が各問い合わせ周波数で繰り返されるが、蓄積の第二のサイクルの間に問い合わせパルス中に９０°の移相シフトが追加して導入され、蓄積の第二サイクルの間その遅延でサンプルが採取されることを特徴とする先行する請求請のいずれかに記載の方法。
【請求項１２】
サンプリングレートが、サンプリング間隔が整数によって除算される中間周波数での９０°の移相シフトに相当するように選ばれることを特徴とする請求項１から１０のいずれかに記載の方法。
【請求項１３】
決められた周波数が圧力および温度を計算するために使用される先行する請求請のいずれかに記載の方法。
【請求項１４】
共振装置がＳＡＷデバイスであることを特徴とする先行する請求請のいずれかに記載の方法。
【発明の詳細な説明】
【技術分野】
【０００１】
本発明は、例えば車両のタイヤの中の空気の圧力と温度を測定するために使用されるような無線問い合わせ式の受動センサトランスポンダに基づきセンサシステムに問い合わせる方法に関する。さらに具体的には、本発明の好適実施形態は圧力と温度の測定の高い精度を可能にする受動センサ問い合わせアルゴリズムを提供する。
【背景技術】
【０００２】
受動圧力センサと温度センサの無線問い合わせの問題の数多くの解決策は従来の技術で既知である。センサは、他の方法も考えられる（例えば、バルク音波デバイスまたは誘電体共振器）が、好ましくはＳＡＷ技術に基づいてワンポート遅延回路またはワンポート共振器のどちらかを活用する。遅延回路［Ｆ．ＳｃｈｍｉｄｔおよびＧ．Ｓｃｈｏｌｌ無線ＳＡＷ識別およびセンサシステム（Ｗｉｒｅｌｅｓｓ  ＳＡＷ  ｉｄｅｎｔｉｆｉｃａｔｉｏｎ  ａｎｄ  ｓｅｎｓｏｒ  ｓｙｓｔｅｍｓ）を参照すること。ワールドサイエンティフィック（Ｗｏｒｌｄ  Ｓｃｉｅｎｔｉｆｉｃ）、２００１年、２８７頁、シンガポール、編集Ｃ．Ｗ．Ｃ．  ＲｕｐｐｅｌおよびＴ．Ａ．Ｆｊｅｌｄｌｙ「弾性表面波技術、システムおよび応用における進展（Ａｄｖａｎｃｅｓ  ｉｎ  Ｓｕｒｆａｃｅ  Ａｃｏｕｓｔｉｃ  Ｗａｖｅ  Ｔｅｃｈｎｏｌｏｇｙ，  Ｓｙｓｔｅｍｓ  ａｎｄ  Ａｐｐｌｉｃａｔｉｏｎｓ）」の中］または共振器［Ｗ．Ｂｕｆｆ、Ｓ．Ｋｌｅｔｔ、Ｍ．Ｒｕｓｋｏ、Ｊ．Ｅｈｒｅｎｆｏｒｄｔ、およびＭ．Ｇｏｒｏｌｌ。ＳＡＷ共振器デバイスを使用する温度および圧力の受動遠隔検知（Ｐａｓｓｉｖｅ  ｒｅｍｏｔｅ  ｓｅｎｓｉｎｇ  ｆｏｒ  ｔｅｍｐｅｒａｔｕｒｅ  ａｎｄ  ｐｒｅｓｓｕｒｅ  ｕｓｉｎｇ  ＳＡＷ  ｒｅｓｏｎａｔｏｒ  ｄｅｖｉｃｅｓ）。ＩＥＥＥ議事録、超音波、強誘電体、および周波数制御（ＩＥＥＥ  Ｔｒａｎｓ．  Ｏｎ  Ｕｌｔｒａｓｏｎｉｃｓ，  Ｆｅｒｒｏｅｌｅｃｔｒｉｃｓ  ａｎｄ  Ｆｒｅｑｕｅｎｃｙ  Ｃｏｎｔｒｏｌ）、第４５巻、第５号、１９９８年、１３８８〜１３９２頁］の使用は、一方では受動センサ応答、他方では環境エコー信号とともに直接フィードスルー信号を区別する必要性によって決定される。これは遅延回路および共振器のインパルス応答が任意の寄生信号よりかなり長いという事実を利用することにより達成される。
【０００３】
遅延回路に基づいた受動ＳＡＷセンサの問い合わせは通常短い（典型的には０．１μｓ）ＲＦパルスによって実行される。その結果、問い合わせシステムは、１ＧＨｚ以下の免許が必要とされない産業科学医療用（ＩＳＭ）バンドでは利用できない１０ＭＨｚあるいはそれ以上もの相対的に幅広い帯域幅を必要とする。その狭帯域応答のため、高Ｑ係数ワンポート共振器に基づくセンサの方がこれらのバンドにはより適している。この理由から、私達は、好ましくはＳＡＷ共振器に基づいた共振器型受動センサの問い合わせに焦点を合わせるものとする。問い合わせの主要な目的は、相対的に長く狭帯域のＲＦ問い合わせパルスによって励起される共振器内の固有振動の周波数（共振周波数）を測定することである。共振周波数は、温度と圧力に依存するようにすることができるため、共振周波数を知っていることにより温度と圧力を計算できる。
【０００４】
変化するアンテナインピーダンスの共振周波数に対する影響を除外するために、従来の技術［前記のＷ．Ｂｕｆｆ、Ｓ．Ｋｌｅｔｔ、Ｍ．Ｒｕｓｋｏ、Ｊ．ＥｈｒｅｎｐｆｏｒｄｔおよびＭ．Ｇｏｒｏｌｌを参照すること］は、一つのアンテナに接続されている（おそらく共振周波数がわずかに異なった）二つの類似した共振器の固有振動の周波数間の差異を測定することを提案している。両方の共振器とも同じ温度にあり、異なる感圧性を有する場合には、圧力は周波数の差異から検出することができ、温度の影響は大幅に削減されるだろう。二つの共振器は、両方の共振器の中の固有振動を励起するバイハーモニックＲＦパルスによって非常に効率的に問い合わせることができる。［ＧＢ９９２５５３８．２を参照すること。］問い合わせパルスが終了すると、応答は急激に崩壊しているビート信号を提示し、ビート周波数は測定された周波数差異に等しい。ビート周波数は振幅検出および周期カウントによって正確に求めることができる。
【０００５】
圧力と温度の両方を同時に測定するケースでは、一つのアンテナに接続されている少なくとも三台の共振器が必要とされ、二つの未知数、つまり圧力と温度を計算するためには二つの周波数差異を測定する必要がある［Ｗ．Ｂｕｆｆ、Ｍ．Ｒｕｓｋｏ、Ｍ．Ｇｏｒｏｌｌ、Ｊ．ＥｈｒｅｎｐｆｏｒｄｔおよびＴ．Ｖａｎｄａｈｌを参照すること。無線用途のための汎用圧力および温度ＳＡＷセンサ（Ｕｎｉｖｅｒｓａｌ  ｐｒｅｓｓｕｒｅ  ａｎｄ  ｔｅｍｐｅｒａｔｕｒｅ  ＳＡＷ  ｓｅｎｓｏｒ  ｆｏｒ  ｗｉｒｅｌｅｓｓ  ａｐｐｌｉｃａｔｉｏｎｓ）。１９９７年ＩＥＥＥ超音波シンポジウム論文集、１９９７年、３５９〜３６２頁］。ビート周波数の測定はこのケースでは不可能である。文献から次に挙げる問い合わせ技法が知られている。
【０００６】
１．  共振器は順番にＲＦパルスによって励起される。各共振器の急激に崩壊する応答はアンテナによりピックアップされ、共振周波数の変形を追跡調査するゲートＰＬＬ向けの入力信号として使用される［Ａ．  Ｐｏｈｌ、Ｇ．Ｏｓｔｅｒｍａｙｅｒ、およびＦ．  Ｓｅｉｔｆｅｒｔを参照すること。遠隔高Ｑ  ＳＡＷ共振器に固定された発振器回路を使用する無線検知（Ｗｉｒｅｌｅｓｓ  ｓｅｎｓｉｎｇ  ｕｓｉｎｇ  ｏｓｃｉｌｌａｔｏｒ  ｃｉｒｃｕｉｔｓ  ｌｏｃｋｅｄ  ｔｏ  ｒｅｍｏｔｅ  ｈｉｇｈ−Ｑ  ＳＡＷ  ｒｅｓｏｎａｔｏｒ）。超音波、強誘電体、および周波数制御に関するＩＥＥＥ議事録、第４５巻、第５号、１９９８年、１１６１〜１１６８頁まで］この技法は単一の共振器に対してはより適切であり、特にその周波数が互いに近すぎる場合、三台の共振器のケースでは扱いづらく、信頼性が低くなりすぎる。
【０００７】
２．  共振器はＲＦパルスによって順番に励起される。各共振器の急激に崩壊する応答はアンテナによりピックアップされ、さらに低い中間周波数にダウンコンバートされてから、固有振動の期間がカウントされる［ＧＢ９９２５５３８．２を参照すること］。また、この方法は単一の共振器に、あるいは共振周波数間の距離が共振器帯域幅よりはるかに大きいときのどちらかにうまく行く。しかしながら、それが（ＩＳＭバンドでのケースである）帯域幅の１０倍未満である場合には、複数の共振器がＲＦパルスによって励起され、センサ応答の寄生周波数変調を生じさせ、測定の精度を大幅に引き下げる。
【０００８】
３．  三台すべての共振器が一度の進行で励起される。センサ応答のスペクトルは離散フーリエ変換によって受信機内で分析され、すべての共振周波数が測定される［Ｌ．  Ｒｅｉｎｄｌ、Ｇ．  Ｓｃｈｏｌｌ、Ｔ．  Ｏｓｔｅｒｔａｇ、Ｈ．  ＳｃｈｅｒｒおよびＦ．Ｓｃｈｍｉｄｔを参照すること。センサとしての受動ＳＡＷ無線トランスポンダの理論および応用例（Ｔｈｅｏｒｙ  ａｎｄ  ａｐｐｌｉｃａｔｉｏｎ  ｏｆ  ｐａｓｓｉｖｅ  ＳＡＷ  ｒａｄｉｏ  ｔｒａｎｓｐｏｎｄｅｒｓ  ａｓ  ｓｅｎｓｏｒｓ）。超音波、強誘電体、および周波数制御に関するＩＥＥＥ議事録、第４５巻、第５号、１９９８年、１２８１〜１２９１頁］。この方法により、大多数の共振器の問い合わせが可能になる。しかしながら、それはセンサの動作の周波数範囲全体をカバーするブロードバンドＲＦパルスの使用を必要とする。問い合わせパルスのピーク電力がＩＳＭバンド（通常１０ｍＷ未満）に制限されることを念頭に入れていると、パルスのスペクトルの拡散により共振器励起の効率が削減されることは明らかである。それは信号対雑音比（ＳＮＲ）、ひいては測定の精度に悪影響を及ぼす。
【非特許文献１】
ＩＥＥＥ議事録、第４５巻、第５号、１９９８年、１１６１〜１１６８頁
【発明の開示】
【発明が解決しようとする課題】
【０００９】
本発明の目的はフーリエ分析の優位点を保ち、と同時に共振器励起の高い効率および測定の高い精度を提供する問い合わせ方法を提供することである。
【課題を解決するための手段】
【００１０】
本発明のある態様に従って、デバイスのそれぞれの共振周波数を求めるために複数の共振周波数を問い合わせる方法は、
（１）共振デバイスごとに最適問い合わせ周波数を決定するステップと、
（２）ステップ（１）によって決定されるようにそのそれぞれの最適値あわせ周波数で複数回各共振装置の問い合わせを繰り返すステップと、
（３）ステップ（２）の結果として蓄積されるデータに対して離散フーリエ変換を実行するステップと、および
（４）ステップ（３）から引き出される周波数の平均を求めるステップと、
を備える。
【発明を実施するための最良の形態】
【００１１】
本発明は、参照が添付図面に対して行われる例によってだけ示されるその好適実施形態に関する以下の説明からさらによく理解されるだろう。
【００１２】
まず図１を参照すると、本発明は車両のタイヤの中の温度と圧力を監視するシステムに特に適用できる。しかしながら、本発明がこの応用例に制限されることなく、圧力と温度が監視される他の環境に、あるいは複数の他の周辺部が受動センサシステムによって測定されることになる事実上他の環境に適用してよいことが理解されなければならない。本発明の好適実施形態は、一つの共通アンテナ１２に接続される三つの弾性表面波デバイスＳＡＷ１、ＳＡＷ２、およびＳＡＷ３  を含む。ＳＡＷデバイスの使用は検知された状態を示す信号を発生させる手段として好ましいが、発明がこのようなデバイスに制限されず、共振周波数によって適切な表示を提供することができる他の受動センサが利用されてよいことが理解されなければならない。
【００１３】
本発明の特に好ましい応用例（車両のタイヤの圧力と温度の検知）では、ＳＡＷデバイスＳＡＷ１、ＳＡＷ２、ＳＡＷ３およびアンテナ１２が装置Ａとして車両のタイヤの中に取り付けられる。励起および監視装置Ｂは、タイヤが装着された装置に励起信号を提供し、それから応答信号を受信するために車両に設置されている。この目的のため、装置Ｂは、パッケージＡのアンテナ１２と通信するためのアンテナ１１を含む。
【００１４】
問い合わせパルスは送信機シンセサイザ１０によって励起される電力増幅器８によって生成される。パルスは、ＲＦスイッチ１を通って問い合わせ装置Ｂのアンテナに移動する。放射された電磁波がセンサ装置Ａのアンテナ１２によってピックアップされ、このようにして大体センサの中の三台のＳＡＷ共振器を励起する。放射し直されたセンサ応答はセンサアンテナによって送信され、アンテナ１１によって受信される。信号はフロントエンド低雑音増幅器２を通って、それが受信機シンセサイザ３の信号と混合される周波数変換器に移動する。受信機シンセサイザ３と送信機シンセサイザ１０間の周波数差異は中間周波数、例えば、１ＭＨｚに等しい。ＩＦ信号は、フィルタ４と（受信機のダイナミックレンジを増大する）制限増幅器を通って、例えば１０ＭＨｚまたは２０ＭＨｚなどのＩＦと比較してサンプリングレートが十分に高い８ビットまたは１０ビットのアナログ／デジタル変換器６に移動する。デジタルフォーマットのセンサ応答は、それが問い合わせプロセスの間にコヒーレントに蓄積されるようにＤＳＰチップ７の内部メモリに記憶される。次に、チップは三台すべてのＳＡＷ共振器に対してデータのフーリエ変換を実行し、三つの共振周波数を計算し、平均化手順を実行し、圧力と温度を計算する。ＤＳＰチップ７は、シンセサイザ３と１０、ＲＦスイッチ１、およびＡＤＣ６の動作も制御する。さらに、それは受信機と送信機間の隔離を増大するために電力増幅器８およびＬＮＡ２をイネーブル、ディスエーブルすることもできる。センサ応答のコヒーレントな蓄積を確実するための手段の１つとして、同じ水晶発振器９が、好ましくはシンセサイザとＤＳＰチップ両方のために基準として使用される。
【００１５】
前記システムは、イメージ・チャネル・リジェクションを強化する二重周波数変換受信機を使用して実現することもできる。代替受信機アーキテクチャは直接周波数変換に基づくことができる。これにより、直角位相チャネルを生成するために、シンセサイザの内の一台の取り外し、および第二のミキサとＡＤＣの追加が行われるだろう。
【００１６】
ここで図２を参照すると、本発明の好ましい方法が説明される。三台の共振器ＳＡＷ１、ＳＡＷ２、ＳＡＷ３は、わずかに異なる共振周波数、および異なる温度敏感性と感圧性を有している。周波数は、それらの間の最小距離が任意の圧力と温度での共振器帯域幅以上となるように選ばれる。その結果、全体的な操作周波数バンド（例えばＩＳＭバンド）は三台の共振器によって占められる三つのサブバンドに分割される。
【００１７】
センサＡは、スペクトル幅が共振器帯域幅以下である矩形ＲＦパルスによって問い合わされる。これにより、問い合わせ周波数が共振器の共振周波数に近い場合には共振器の効率的な励起が保証される。各サブバンドでは、その間の距離が共振器の帯域幅以下になるように選ばれる複数の離散問い合わせ周波数がある。離散問い合わせ周波数の数はＳＡＷ共振器のＱ係数に依存している。例えば、アンロードされたｑ＝５０００のケースでは、４３４  ＭＨｚのＩＳＭバンドの中では九つの問い合わせ周波数を有することで十分だろう。
【００１８】
その結果、温度と圧力がどうであれ、三台の共振器の最適励起を保証する選ばれた離散周波数の集合からつねに三つの問い合わせ周波数が存在するだろう。励起は、共振器内の振動の振幅が問い合わせパルスの最後まで指定の励起振幅について考えられる最大の振幅に近くなるという意味で最適である。
【００１９】
問い合わせ手順は、図２のフローチャートによって図解されるような五つの主要な段階から構成されている。
【００２０】
１．  センサ応答の電力スペクトル密度を最大化する三つの最適問い合わせ周波数の決定
この段階では、センサはすべての離散問い合わせ信号で次々に問い合わせされる。毎回、問い合わせパルスを起動した後に、センサ応答が受信され、そのスペクトル密度が検出される。それは、例えば、周波数ダウンコンバージョン、中間周波数での応答のサンプリングおよび離散フーリエ変換の計算によって実行することができる。その後、各サブバンドに一つずつ三つの最適周波数が選ばれ、スペクトル密度の最大ピーク値を与える。代わりに、自動利得制御付きの線形増幅器が受信機で使用される場合には、そのサイドローブの平均レベルに対するスペクトル密度のピーク値の割合を最大にする該三つの周波数が選ばれる。代わりに、制限増幅器が受信機で使用されると、センサ応答の長さを最大化する該三つの周波数が選択できる。
【００２１】
この段階で、私達はスペクトル密度のピーク周波数を測定することによってすでに三つの共振周波数を求めることができる。しかしながら、これは私達に雑音の存在およびフーリエ分析の有限解像度のための固有振動の実際の周波数の粗い推定値を示すに過ぎないだろう。
【００２２】
2005501235.tif 000003
コヒーレント蓄積を実行する前に、三つの最適問い合わせ周波数のそれぞれで干渉の存在もチェックされる。これは、例えば問い合わせパルスがない場合に受信される信号のスペクトル密度の最大を適切な閾値レベルに比較することによって実行できる。それが閾値レベルを上回る場合には、システムはなんらかの遅延の後に問い合わせを繰り返す。コヒーレント蓄積サイクルの中ではさらに単純な干渉検出手順も使用することができる。このケースでは、干渉は、各問い合わせパルスを起動する前に１から２μｓの間受信信号のピーク値を測定することによって検出できる。
【００２３】
３．  離散フーリエ変換および補間
この段階では、コヒーレント蓄積の結果として獲得された三つのデータアレイが、離散フーリエ変換（ＤＦＴ）によって三つのスペクトル密度を計算するために使用される。それぞれのスペクトルには、他の２台の共振器の励起を原因とした他のピークがある可能性があるが単一の共振器の周波数応答に一致するピークが含まれている。しかしながら、メインピークはさらに大きな振幅を有し、さらに小さなピークは無視される。メインピーク周波数は固有振動の関連周波数に相当する。フーリエ分析△ｆの解像度は、分析時間が、例えば最大０．１から０．２ｍｓ、１０から２０μｓに増加されるようにゼロ充填によって増加され、△ｆ＝５から１０ＫＨｚを示す。この精度はまだ多くの応用例にとっては十分ではない。
【００２４】
この精度の上昇は、それぞれ三台の共振器ごとに共振周波数を正確に見つけ出すためにピーク周波数の近傍で二次方程式またはさらに高位の補間を使用することによって達成される。その結果、精度はフーリエ分析によって制限されなくなるが、おもにシステム雑音によって制限される。
【００２５】
雑音を原因にした周波数測定誤差の無作為な成分は別として、センサ応答の有限長さを原因とした体系的な成分（バイアス）もある。該バイアスの値は中間周波数でのセンサ応答パルスの初期位相角度に依存し、それはコヒーレント蓄積のあるサイクルから別のサイクルに変化できる。初期位相は未知の共振周波数と問い合わせ周波数間の距離によって決定されるため、それを予測することは不可能である。以下の方法は、該バイアスを大幅に削減し、従ってシステムの精度を高めるために使用される。
【００２６】
ａ）コヒーレント蓄積は問い合わせ周波数ごとに二回繰り返されるが、蓄積の第二のサイクルの間に問い合わせパルスに９０°の移相シフトが追加して入れられる。代わりに、サンプルが遅延τ＝１／（４ｆｉｎｔ）で採取される。この場合ｆｉｎｔは蓄積の第二のサイクルの間の名目上の中間周波数（問い合わせ周波数と局所発振器の周波数の差異）である。ＤＦＴおよび補間の手順も二度実行され、二つの結果として生じるピーク周波数の平均が検出される。該二つのピーク周波数のバイアスは反対の符号とほぼ等しい絶対値を有し、それらは互いを相殺するため、この平均周波数は測定された共振周波数にはるかに近くなる。この方法の不利な点とは、測定の総合的な時間が二倍になるという点である。
【００２７】
ｂ）第二の方法は測定の時間の増加を必要としない。コヒーレント蓄積は各問い合わせ周波数で一度繰り返される。サンプリングレートは、サンプリング間隔Ｔｓが任意の整数で除算されるノミナルな中間周波数での９０°の移相シフトに相当するように選ばれる。言い換えると、Ｔｓ＝τ／ｎであり、この場合ｎ＝１，２，３…である。例えば、ｆｉｎｔ＝１ＭＨｚである場合には、τ＝０．２５μｓであるため、Ｔｓは０．０５μｓに等しくなるように選ぶことができる。第一のＤＦＴはサンプルについて最初のサンプルを発端として実行され、第二のＤＦＴはサンプルについてｎ番目のサンプルを発端として実行される。事実上、それは、サンプルの二つの集合の間に９０°の移相を有することを意味している。ＤＦＴおよび補間によって検出される該二つのピーク周波数の平均化の結果、バイアスの値は大幅に削減される。一例に、バイアスの最大値は３５０ＫＨｚという三つの共振周波数間の最小距離について１．６９ｋＨｚから０．５７ｋＨｚに削減される。
【００２８】
2005501235.tif 000004
５．  圧力と温度の計算
平均化の後、二つの差異周波数が計算され、圧力と温度が例えば参考資料［４］に説明される方法を使用して検出される。
【００２９】
提案された問い合わせ方法は、５ｘ１０−６より優れた共振周波数測定の精度を達成することを目的としている。４３４  ＭＨｚ  ＩＳＭバンドで動作するＳＡＷ共振器のケースでは、それは１ｐｓｉより優れた圧力測定の精度、および１℃より優れた温度測定の精度を示す必要がある。
【図面の簡単な説明】
【００３０】
【図１】車両のタイヤの中で使用するための圧力と温度の監視システムを概略で示す。
【図２】本発明によって提案される問い合わせアルゴリズムを示す。
【図１】
2005501235.tif 000005
【図２】
2005501235.tif 000006
【国際公開パンフレット】
2005501235.tif 000007
2005501235.tif 000008
2005501235.tif 000009
2005501235.tif 000010
2005501235.tif 000011
2005501235.tif 000012
2005501235.tif 000013
2005501235.tif 000014
2005501235.tif 000015
2005501235.tif 000016
2005501235.tif 000017
2005501235.tif 000018
2005501235.tif 000019
2005501235.tif 000020
2005501235.tif 000021
2005501235.tif 000022
2005501235.tif 000023
【国際調査報告】
2005501235.tif 000024
2005501235.tif 000025
2005501235.tif 000026